(57)【要約】      （修正有）【課題】複数のハンガーを吊り下げ可能で、必要に応じて容易に付け外しができ、ハンガーの吊り下げ高さ位置を最適な位置に任意に選定できる室内用ハンガー吊り具を提供する。【解決手段】一端側に形成した平面視コの字形とした間隔形成用固定主体１と、該固定主体１の間隔を調整する締め付け固定具２と、複数のハンガー吊り部を備えたハンガー吊りアーム３とからなり、固定主体１が、片側に固定板１１を備え、その対向側に移動板１２を備え、該移動板１２の近接箇所に螺旋体１３を備えたものとされ、固定具２が、筒体２１に形成され、その内面に螺旋体１３と嵌合する螺旋部を備えたものとされ、ハンガー吊りアーム３が、アーム本体３１の長手方向に所定の間隔ｄを隔てて形成された複数のハンガー吊り部３３を備え、その基部３２が固定主体１における固定板１１と移動板１２の何れかに連接されている構成としたもの。【選択図】図１
0003166226.tif 000002
【実用新案登録請求の範囲】
【請求項１】
一端側に形成した平面視コの字形とした間隔形成用固定主体(1)と、該固定主体(1)の間隔を調整する締め付け固定具(2)と、複数のハンガー吊り部を備えたハンガー吊りアーム(3)とからなり、
前記固定主体(1)が、片側に固定板(11)を備え、その対向側に移動板(12)を備え、該移動板(12)の近接箇所に螺旋体(13)を備え、
前記固定具(2)が、筒体(21)に形成され、その内面(22)に前記螺旋体(13)と嵌合する螺旋部(23)を備え、
前記ハンガー吊りアーム(3)が、アーム本体(31)の長手方向に所定の間隔(d)を隔てて形成された複数のハンガー吊り部(33)を備え、その基部(32)が前記固定主体(1)における固定板(11)と移動板(12)の何れかに連接されている構造とされた室内用ハンガー吊り具。
【請求項２】
固定板(11)と移動板(12)との間にスペーサー用駒(5)を連結して両板(11，12)の間隔を調節して使用するようにした請求項１に記載の室内用ハンガー吊り具。
【考案の詳細な説明】
【技術分野】
【０００１】
本考案は、衣料用ハンガーを所定の間隔を隔てて複数本吊り下げておくことができるようにした室内用ハンガー吊り具に関するものである。
【０００２】
より具体的には、本考案にいう室内用ハンガー吊り具は、主としてアルミサッシドアや室内に建てつけたスライド開閉ドアなどの強度のある縦枠を備えたスライド方式の建具を対象として、その開放側の縦枠に対して、適宜高さ箇所に挟み付けて固定し、複数本の衣料用ハンガーを建具の厚さ方向に、主として室内において、所定の間隔を隔てて引っ掛けて吊しておくことができるようにした室内用ハンガー吊り具に関するものである。
【背景技術】
【０００３】
このような強度を備えたスライド式建具の縦枠を利用して、建具の厚さ方向に複数本のハンガーを引っ掛けて吊り下げておくことができるようにした室内用ハンガー吊り具は、現在のところ市販されているものはない。現在一般に市販されている室内用ハンガー吊り具は、建具や壁面の平坦な面にビスネジや接着剤を利用して固定するもので、その固定したフック部分に一本または複数本のハンガーを同じフックに重ね吊りするようにしたものが大半を占めている。
【０００４】
このような室内用ハンガー吊り具について先行技術文献を検索すると、下記特許文献１にみられるように、フック状のハンガー引っ掛け部をもったハンガー吊り具を、鴨居の戸溝の側壁に挟み付けて吊り下げるようにしたハンガー吊り具が提案されている。また、下記特許文献２にみられるように、室内方向に略水平状に突出させて複数本のハンガーを吊り下げるようにした横棒状のハンガー吊り下げ用ホルダーを、その上端の刺し込み部を付け鴨居の上面に刺し込み、下端の押し当て部を垂直壁面に当てつけて使用するようにしたハンガー吊り下げ用ホルダーも提案されている。
【先行技術文献】
【特許文献】
【０００５】
【特許文献１】特開平０９−２６６９９９号公報
【特許文献２】特開２０１０−８８７４４号公報
【考案の概要】
【考案が解決しようとする課題】
【０００６】
前記のような現在一般に市販されている建具や壁面の室内側の平坦面に固定するようにしたハンガー吊り具は、建具の平面に対してネジ止めしたり、ホットメルト等の接着剤で接着させたりして固定するようにしたものであるため、建具や壁面に対して一旦取り付けた後は、着脱の自由度に欠け、ハンガーを吊り下げない非使用時であっても室内の美観を損ね、時には邪魔になることもあり、また、一つの吊り具に対して複数のハンガーを重ね吊りする場合には、最初に吊り下げたハンガーや先行して吊り下げたハンガーを取り出すとき、後から吊り下げた複数のハンガーが邪魔になり、これらを一時的に取り外した後でなければ、先行して吊り下げたハンガーを直ちには取り出し難いという煩わしさを有するという課題を有するものとなっている。
【０００７】
前記特許文献１に記載のハンガー吊り具は、引っ掛け部が単一のフック体であるため、同様の煩わしさを避けることはできないものとなっている。更に、該特許文献１に記載のハンガー吊り具は、挟持片を鴨居に設けられた戸溝の側壁に下側から挟み込ませてフック体を垂下させて固定するようにしたものであるから、大重量の衣類や多数のハンガーを吊り下げるのには適していない。
【０００８】
また、前記特許文献２に記載のハンガー吊り下げ用ホルダーの場合には、複数のハンガーを吊り下げて使用することができる点で好ましいものであり、付け鴨居の適宜の箇所に取り付けて使用することができる点では好ましいものであるが、住居仕様によっては付け鴨居が存在しない場合もあり、通常鴨居を使用するには、下端の押し当て部を障子の桟や襖の紙面に当てつけて使用しなければならないという点で、安心して使用することができないという課題を有するものとなっている。
【０００９】
そこで考案された本考案の目的は、従来から一般に知られた固定タイプの室内用ハンガー吊り具や前記先行技術のものが有している課題を解決し、付け鴨居が存在しない室内でも自由に使用でき、かつ、必要に応じて容易に取り付け取り外しができ、更に、ハンガーの吊り下げに適した適宜の高さ位置に固定して使用することができるハンガー吊り具であって、前記のように、アルミサッシドアや室内に建てつけたスライド開閉ドアなどの強度のある縦枠を備えたスライド方式の建具の開放側の縦枠に対して、適宜の高さ箇所に挟み付けて固定することができるようにした室内用ハンガー吊り具をここに提供しようとするものである。
【課題を解決するための手段】
【００１０】
該目的を達成するために講じた本考案にいう請求項１に記載の室内用ハンガー吊り具の構成について、実施例において使用した符号を用いて説明すると、一端側に形成した平面視コの字形とした間隔形成用固定主体１と、該固定主体１の間隔を調整する締め付け固定具２と、複数のハンガー吊り部を備えたハンガー吊りアーム３とからなり、前記固定主体１が、片側に固定板１１を備え、その対向側に移動板１２を備え、該移動板１２の近接箇所に螺旋体１３を備えたものとされ、前記固定具２が、筒体２１に形成され、その内面２２に前記螺旋体１３と嵌合する螺旋部２３を備えたものとされ、前記ハンガー吊りアーム３が、アーム本体３１の長手方向に所定の間隔ｄを隔てて形成された複数のハンガー吊り部３３を備え、その基部３２が前記固定主体１における固定板１１と移動板１２の何れかに連接されている構成としたものである。
【００１１】
請求項２に記載の構成は、請求項１に記載の室内用ハンガー吊り具に従属する構成であって、固定板１１と移動板１２との間にスペーサー用駒５を連結して両板１１，１２の間隔を調節して使用するようにしたことを構成としたものである。
【考案の効果】
【００１２】
以上のように、本考案にいう室内用ハンガー吊り具は、固定主体として、片側に固定板を、その対向側に移動板を備えさせ、この移動板を螺旋体に嵌合させた固定具によって、殊にアルミサッシを用いたガラス戸や室内のスライドドアなどの縦枠に対して任意の高さ箇所に挟み付けて固定するようにしたものであるから、所定の間隔を隔てて複数のハンガー吊り部を備えさせてあるハンガー吊りアームを室内に向けて突出させて固定することにより、使用者の使用し易い適宜の高さ位置にハンガー吊りアームを位置させて使用することができるので、ハンガー吊りアームに形成してある複数のハンガー係止部に対してハンガーを吊り下げて使用することができる利点がある。
【００１３】
したがって、付け鴨居が存在しない室内でも、最適の高さ位置においてハンガーを吊り下げて使用することができ、来客等の訪問に際して、必要が生じた場合には、固定具を弛めて取り外し、他の部屋の建具に位置替えしたり、一時的に取り外しておくことができ、ビス止め穴や接着剤痕などを残すことなく、障子紙や襖紙を損傷させる虞もなく使用することができるという利点を有する。また、吊したハンガーの荷重は、スライド戸等の建具の縦枠に支えさせることができるので、多少の重い衣類でも吊り下げて使用することができるという独自の効果が期待できる。
【００１４】
また、請求項２に記載のハンガー吊り具は、固定板と移動板との間にスペーサー用駒を連結して両板の間隔を適宜に調節して使用することができるようにしたものであるから、洋室のフロアーから天井までに嵌め込んだ大形のアルミサッシの広幅の縦枠に対しても、腰板から半間程度の窓の小幅の窓枠に対しても適宜に使用することができる利点がある。
【図面の簡単な説明】
【００１５】
【図１】第１実施例を示す正面図。
【図２】同平面図。
【図３】同底面図。
【図４】同右側面図。
【図５】同固定具示す正面図。
【図６】同固定具の右側面図。
【図７】取り付け状態を示す正面図。
【図８】同状態を示す平面図。
【図９】同状態を示す右側面図。
【図１０】第２実施例を示す正面図。
【図１１】同平面図。
【図１２】同底面図。
【図１３】第３実施例を示す平面図。
【図１４】同底面図。
【図１５】スペーサー用駒の斜視図。
【考案を実施するための形態】
【００１６】
このような構成とした室内用ハンガー吊り具の実施に当たっては、各部の成形素材を合成樹脂素材の射出成形品とすることが製造上容易である点で好ましいが、セルロース素材や木材で製造することも可能であり、強度保持のため、一部にアルミやステンレス等の金属を使用して形成することも可能である。
【実施例】
【００１７】
以下本考案の主たる実施例である室内用ハンガー吊り具の第１実施例について図面に基づいて説明する。該第１実施例に示した室内用ハンガー吊り具は、図１乃至図４に示したように、全体として横長の棒状としたもので、図２における左端側に平面視コの字形に形成した空間部ａ有する間隔形成用固定主体１と、この固定主体１の空間部ａの間隔を拡縮調整する締め付け固定具２と、複数のハンガー吊り部３３を備えたハンガー吊りアーム３とから構成されている。
【００１８】
而して、前記の固定主体１は、図１〜３の左端部に、金属板によってＬ字形に形成した薄い固定板１１を備えていて、その対向側の、図１〜３において右側に、固定主体１の長手方向に移動可能とした移動板１２を備えている。また、該移動板１２が位置する近接箇所の表面には、移動板１２の筒状内面とは干渉し合わない螺旋体１３を形成してある。図２において、これらの固定板１１と移動板１２との対向面に鎖線で示した符号４は、傷防止用のラバーシートで、需用者が貼って使用できるように商品に同封してある。
【００１９】
前記固定具２は、図５，６に示したように、全体形状を短筒体２１に形成されていて、その内面２２に前記螺旋体１３と嵌合する螺旋部２３を形成してある。
【００２０】
前記ハンガー吊りアーム３は、横長の概略板状に形成されたアーム本体３１の板面３４を厚さ方向に貫通するハンガー吊り部３３としての穴を、長手方向に所定の間隔ｄを隔てて複数の穴、実施例図のものでは５個の穴を形成してある。その基部３２は、前記のように固定主体１に形成してある螺旋体１３に続いている。また、該アーム本体３１の遊端側には、図１、３のように幅方向の上下に突出する突起３５，３５を突出形成させてあり、該アーム本体３１の上縁部に引っ掛けたハンガーのストッパーとしてある。
【００２１】
このような構造としたハンガー吊り具は、図７〜９に示したように、アルミサッシドアや木製のスライドドア等の建具の縦枠Ｆに対して、空間部ａを移動面側から当てつけて固定板１１と移動板１２とで挟み込むようにして締め付け固定具２を回して移動板１２を締め付け方向に移動させ、建具の縦枠Ｆに対して任意の高さ箇所に締め付け固定する。このようにして、ハンガー吊りアーム３を室内に向けて突き出させてハンガー吊り具として使用する。
【００２２】
このようにして使用するものであるから、吊したハンガーの荷重は、建具の縦枠Ｆに支えさせることができるので、多少の重い衣類や複数の衣類でも安心して吊り下げて使用することができ、最適高さ位置への位置調節や位置変更を締め付け固定具２の弛緩のみで容易に変更して使用することができる。
【００２３】
図１０乃至図１２は、第２実施例のハンガー吊り具を示したもので、前記第１実施例に示したハンガー吊り具に比して、縦枠Ｆを挟み込むための固定板１１と移動板１２とのハンガー吊りアーム３に対する位置を内外逆にした構造としたものである。即ち、固定板１１をアーム本体３１に連接した側に形成し、移動板１２をハンガー吊りアーム３とは逆の遊端縁側に形成してあるものとし、固定板１１の遊端縁側に形成してある螺旋体１３を介して締め付け固定具２を移動させ、移動板１２を移動させるとともに、建具の縦枠に対する弛緩を行うようにしたものである。その他の点は、前記第１実施例に示したハンガー吊り具に準ずる。
【００２４】
図１３乃至図１５は、第３実施例のハンガー吊り具を示したもので、前記第１実施例に示したハンガー吊り具に比して、縦枠Ｆを挟み込むための固定板１１と移動板１２との間の空間部ａを広くして広幅縦枠を備えたスライドウインドウやドア等の建具に対応できるようにしたものである。ここで例示すると、窓用サッシの縦枠の幅は１５ｍｍくらいのものがあり、アルミサッシドアでは８３ｍｍ〜９０ｍｍ程度のものもある。使用対称の建具の縦枠の幅が狭い場合には、図１３の平面図及び１４の底面図に鎖線で示したように、図１５に斜視図で例示したスペーサー用駒５を、図１３において矢印で示したように、一つかまたは必要に応じて二つ介在させて空間部ａの間隔を調節して使用することができるようにしてある。
【００２５】
このスペーサー用駒５は、積み木用ブロックのように、片面に嵌合穴５１を他面に嵌合突起５２を形成してあり、これらを嵌合させることによって連結して使用することができるようにしてある。このハンガー吊り具の場合も、螺旋体１３を介して締め付け固定具２を回転させて移動させ、建具の縦枠に対する弛緩を行うようにしたものである点及びその他の点は、前記第１実施例に示したハンガー吊り具に準じた構造としてある。
【００２６】
以上本考案の代表的と思われる実施例について説明したが、本考案は必ずしもこれらの実施例に示した構造のみに限定されるものではなく、本考案にいう前記の構成要件を備えていて、かつ、本考案にいう目的を達成し、上記の効果を有する範囲内において適宜改変して実施することができるものである。
【産業上の利用可能性】
【００２７】
本考案にいうところの室内用ハンガー吊り具は、アルミサッシ等のスライドドアにおける縦枠に対して任意の高さ位置にハンガー吊り具を固定して使用できるものでありながら、来客時等において必要に応じて取り外して他の部屋等に移動させて、ハンガー吊り具を取り付けてあった部屋をハンガー吊り具のない部屋に変えて使用することができるので市場に供給すると大いに歓迎されて重宝に使用されるものと考えられる。
【符号の説明】
【００２８】
１  間隔形成用固定主体
２  締め付け固定具
３  ハンガー吊りアーム
５  スペーサー用駒
１１  固定板
１２  移動板
１３  螺旋体
２１  筒体
２２  筒体内面
２３  螺旋部
３１  アーム本体
３２  ハンガー吊り部の基部
３３  ハンガー吊り部
ｄ  間隔
【図１】
0003166226.tif 000003
【図２】
0003166226.tif 000004
【図３】
0003166226.tif 000005
【図４】
0003166226.tif 000006
【図５】
0003166226.tif 000007
【図６】
0003166226.tif 000008
【図７】
0003166226.tif 000009
【図８】
0003166226.tif 000010
【図９】
0003166226.tif 000011
【図１０】
0003166226.tif 000012
【図１１】
0003166226.tif 000013
【図１２】
0003166226.tif 000014
【図１３】
0003166226.tif 000015
【図１４】
0003166226.tif 000016
【図１５】
0003166226.tif 000017